(57)【要約】【課題】  保険会社の各種別保険への加入対象者の家族或いは会社ごとの保険契約情報の一元管理と、個別対象ごとの個別管理とが可能で、特定加入者の個別データに基づき、周囲環境に応じて保険の契約設定を適確に把握管理して、安定した生活設計を立てることが可能な保険情報管理システムを提供する。【解決手段】  家族や社員の全保険契約情報を一元的に又は個別対象ごとに、ディスプレイ６に表示して保険契約を適確安全に管理し、画像演算制御回路５により、周囲環境に対応する収入・支出情報に基づくシュミレーション演算処理を行い、得られるグラフ化画像に基づいて、今後の生活に必要な資金を的確に把握し、子供の学資保険に何時加入するか、所定の余裕比率で老後を生活するには、年金保険に何時加入する必要があるかを適確に決定し、健全な生活設計を立てることが可能になる。【選択図】図１
2008059537.tif 000002
【特許請求の範囲】
【請求項１】
保険会社の加入者データ、契約種別データ、保険掛け金データ、保険保障金データを含む保険契約情報をインターネットを介して取り込み、加入対象者の周囲環境に対応する収入・支出情報に基づいて、保険の加入契約及び契約変更の基礎情報となる演算制御画像情報を提供する保険情報システムであり、
前記保険契約情報、前記収入・支出情報及び前記演算制御画像情報が格納される保険契約情報格納手段と、
該保険契約情報格納手段から、表示情報を選択する表示情報選択手段と、
該表示情報選択手段が選択した表示情報を表示する情報表示手段と、
該情報表示手段が表示する表示情報に対して、前記収入・支出情報に基づく画像制御演算を行い、前記情報表示手段による表示情報を、前記演算制御画像情報に変換表示する画像変換表示手段と
該画像変換表示手段により変換表示される前記演算制御画像情報に基づき、保険の加入契約或いは保険の契約変更を行う契約内容設定手段と
を有することを特徴とする保険情報管理システム。
【請求項２】
請求項１記載の保険情報管理システムにおいて、
画像変換表示手段が、既加入保険契約情報及び未加入保険契約情報に対して、収入・支出情報に基づいてグラフ化演算を行なうことを特徴とする保険情報管理システム。
【請求項３】
請求項１または請求項２記載の保険情報管理システムにおいて、
周囲環境に対応する支出情報が住宅費であることを特徴とする保険情報管理システム。
【請求項４】
請求項１または請求項２記載の保険情報管理システムにおいて、
周囲環境に対応する収入情報が、退職後の年金であることを特徴とする保険情報管理システム。
【請求項５】
請求項目または請求項記載の保険情報管理システムにおいて、
周囲環境に対応する支出情報が子供の教育費であることを特徴とする保険情報管理システム。
【請求項６】
請求項１または請求項２記載の保険情報管理システムにおいて、
契約内容設定手段が、情報表示手段が表示する表示情報或いは画像変換表示手段が表示する演算制御画像情報に設けられたアイコンにより、対応する保険会社の担当者への電子メール送信を行なって、保険契約或いは保険契約変更を行なうことを特徴とする保険情報管理システム。
【発明の詳細な説明】
【技術分野】
【０００１】  本発明は、保険情報の管理を行なう保険情報管理システムに関する。
【背景技術】
【０００２】  保険には、生命保険、共済保険の他にも、自動車保険、火災保険、交通障害保険などからなる損害保険があり、さらに社会環境に対応して新しい保険も次々と提案されおり、各種の多くの種別保険があり、複数の保険会社がこれらの種別保険にそれぞれ独自の特色を盛り込んで、保険サービスを加入対象者に提供している。
これら各種の種別保険から加入対象者に適合した種別保険を選択し、さらに選択した種別保険を提供する複数の保険会社から、加入対象者の生活環境と家族環境とに適確に対応する保険会社を選択して保険契約を行なうことは簡単なことではない。一方では、現在加入している保険を、保険加入者の生活環境、家族環境などの周囲環境の変化に対応して、契約を延長するか或いは契約を変更をするかの検討をすることも必要になる。
このためには、テレビなどのマスコミを通じての情報やホームペジからの情報などを介して、複数の保険会社から保険内容資料を取り寄せたり、公報担当者と直接電話することにより、保険契約に基づく情報を得ることが必要である。
【発明の開示】
【発明が解決しようとする課題】
【０００３】  本発明は、このような保険情報管理の現状に鑑みてなされたものであり、その目的は、複数の保険会社のそれぞれの種別保険への加入対象者に対する保険契約情報の一元管理と、個別対象ごとの個別管理とが可能で、特定加入者の個別データに基づき、周囲環境の変化に応じて保険の契約設定を適確に管理して、安定した生活設計が可能な保険情報管理システムを提供することにある。
【課題を解決するための手段】
【０００４】  前記目的を達成するために、請求項１記載の第１の発明は、保険会社の加入者データ、契約種別データ、保険掛け金データ、保険保障金データを含む保険契約情報をインターネットを介して取り込み、加入対象者の周囲環境に対応する収入・支出情報に基づいて、保険の加入契約及び変更契約の基礎情報となる演算制御画像情報を提供する保険情報管理システムであり、前記保険契約情報、前記収入・支出情報及び前記演算制御画像情報が格納される保険契約情報格納手段と、該保険契約情報格納手段から、表示情報を選択する表示情報選択手段と、該表示情報選択手段が選択した表示情報を表示する情報表示手段と、該情報表示手段が表示する表示情報に対して、前記収入・支出情報に基づく画像制御演算を行い、前記表示手段による表示情報を前記演算制御画像情報に変換表示する画像変換表示手段と、該画像変換表示手段により変換表示される前記演算制御画像に基づき、保険の加入契約或いは保険の契約変更を行なう契約内容設定手段とを有することを特徴とするものである。【０００５】  第１の発明に係る保険情報管理システムによると、保険会社の加入者データ、契約種別データ、保険掛け金データ、保険保障金データを含む保険契約情報がインターネットを介して取り込まれ、加入対象者の周囲環境に対応する収入・支出情報に基づいて、保険の加入契約及び変更契約の基礎情報となる演算制御画像情報が提供される。
この場合、第１の発明では、先ず、保険契約情報格納手段に、保険契約情報、収入・支出情報及び演算制御画像情報が格納され、表示情報選択手段によって、保険契約情報格納手段から表示情報が選択され、情報表示手段によって選択された表示情報が表示される。
また、情報表示手段により表示される表示情報に対して、画像変換表示手段によって、収入・支出情報に基づく画像制御演算が行なわれ、得られる演算制御画像情報が表示手段による表示情報に代えて変換表示される。そして、画像変換表示手段により変換表示される演算制御画像に基づき、契約内容設定手段によって、保険の加入契約或いは保険の契約変更が行なわれる。【０００６】  同様に前記目的を達成するために、請求項２記載の第２の発明は、第１の発明において、画像変換表示手段が、既加入保険契約情報及び未加入保険契約情報に対して、収入・支出情報に基づいてグラフ化演算を行なうことを特徴とするものである。【０００７】  第２の発明では、画像変換表示手段が、既加入保険契約情報及び未加入保険契約情報に対して、収入・支出情報に基づいてグラフ化演算を行なうことによって第１の発明の作用が実行される。【０００８】  同様に前記目的を達成するために、請求項３記載の第３の発明は、第１の発明または第２の発明において、周囲環境に対応する支出情報が住宅費であることを特徴とするものである。【０００９】  第３の発明では、周囲環境に対応する支出情報を住宅費として、第１の発明または第２の発明の作用が実行される。【００１０】  同様に前記目的を達成するために、請求項４記載の第４の発明は、第１の発明または第２の発明において、周囲環境に対応する収入情報が、退職後の年金であることを特徴とするものである。【００１１】  第４の発明では、周囲環境に対応する収入情報を退職後の年金として、第１の発明または第２の発明の作用が実行される。【００１２】  同様に前記目的を達成するために、請求項５記載の第５の発明は、第１の発明または第２の発明において、周囲環境に対応する支出情報が子供の教育費であることを特徴とするものである。【００１３】  第５の発明では、周囲環境に対応する支出情報を子供の教育費として、第１の発明または第２の発明の作用が実行される。【００１４】  同様に前記目的を達成するために、請求項６記載の第６の発明は、第１の発明または第２の発明において、契約内容設定手段が、情報表示手段が表示する表示情報或いは画像変換表示手段が表示する演算制御画像情報に設けられたアイコンにより、対応する保険会社の担当者への電子メール送信を行なって、保険契約或いは保険契約変更を行なうことを特徴とするものである。【００１５】  第６の発明では、契約内容設定手段が、情報表示手段が表示する表示情報或いは画像変換表示手段が表示する演算制御画像情報に設けられたアイコンにより、対応する保険会社の担当者への電子メールが送信され、保険契約或いは保険契約変更が行なわれることにより、第１の発明または第２の発明の作用が実行される。
【発明の効果】
【００１６】  第１の発明によると、保険会社の加入者データ、契約種別データ、保険掛け金データ、保険保障金データを含む保険契約情報がインターネットを介して取り込まれ、加入対象者の周囲環境に対応する収入・支出情報に基づいて、保険の加入契約及び変更契約の基礎情報となる演算制御画像情報を提供することが可能になる。【００１７】  この場合、保険会社の加入者データ、契約種別データ、保険掛け金データ、保険保障金データを含む保険契約情報がインターネットを介して取り込まれて格納される保険契約情報格納手段から、表示情報選択手段によって表示情報が選択され、選択された表示情報を、個別に表示することが可能になる。
このために、表示情報選択手段の選択によって、全家族や全従業員などの保険契約者全体の保険契約情報を一覧表示したり、保険会社ごと、或いは契約種別ごとなどに選別表示することによって、保険契約の内容を全体として一元的に、或いは選択領域ごとに部分的に、簡単な操作で選択表示することにより、加入保険の内容を適確に確認することが可能になると共に、保険契約維持に必要な手続きを過誤なく安全に行なうことが可能になる。【００１８】  また、情報表示手段により表示される表示情報に対して、画像変換表示手段によって、周囲環境に対応する収入・支出情報に基づく画像制御演算を行なわせることにより、表示情報を演算制御画像情報に変換表示することが可能になる。
このために、生活環境及び家族環境などの周囲環境に対応する収入・支出情報の変化に基づいて、表示される演算制御画像情報を参照することにより、何時どのような資金が必要か、生活上切り詰め可能な部分があるかどうか、目的の余裕度で生活するためには、どの時期に年金保険に加入する必要があるかなどを適確に確認することが可能になり、現在加入している保険の契約延長、契約変更、或いは未加入の保険への加入契約を、周囲環境の変化を見据えて適確に行なうことが可能になり、将来の安定した生活設計の実行が可能になる。【００１９】  さらに、画像変換表示手段により変換表示される演算制御画像情報に基づき、契約内容設定手段が保険の加入契約或いは保険の契約変更を行なうので、加入対象者の周囲環境に対応する収入・支出情報に基づく加入契約及び契約変更の基礎情報を充分に参照した適確な加入契約或いは契約変更を行なうことが可能になる。【００２０】  第２の発明によると、画像変換表示手段より、既加入保険契約情報及び未加入保険契約情報に対して、収入・支出情報に基づくグラフ化演算が行なわれ、変換表示される演算制御画像情報は理解し易いグラフ化表示されるので、既加入保険契約情報及び未加入保険契約情報と明確に対比表示された状態で、第１の発明で得られる効果が実現可能になる。【００２１】  第３の発明によると、周囲環境に対応する支出情報を住宅費として、第１の発明または第２の発明で得られる効果が実現可能になる。【００２２】  第４の発明によると、周囲環境に対応する収入情報を退職後の年金として、第１の発明または第２の発明で得られる効果が実現可能になる。【００２３】  第５の発明によると、周囲環境に対応する支出情報を子供の教育費として、第１の発明または第２の発明で得られる効果が実現可能になる。【００２４】  第６の発明によると、契約内容設定手段が、情報表示手段が表示する表示情報或いは画像変換表示手段が表示する演算制御画像に設けられたアイコンにより、対応する保険会社の担当者への電子メール送信を行なって、保険契約或いは保険契約変更を行なうので、保険契約或いは保険契約変更を簡単な操作で確実且つ迅速に行って、第１または第２の発明で得られる効果が実現可能になる。
【発明を実施するための最良の形態】
【００２５】  以下に、本発明の一実施の形態を、図１ないし図４を参照して説明する。
図１は本実施の形態の構成を示すブロック図、図２は本実施の形態のディスプレイに表示される表示画像例を示す説明図、図３は本実施の形態の演算制御画像例を示す説明図、図４は本実施の形態が提供する演算制御画像情報例を示す説明図である。【００２６】  本実施の形態では、図１に示すように、インターネット１に対して、各種のデータを取り込んでデータ処理を行なうテータ処理ユニット２が接続され、このデータ処理ユニット２には指令信号入力回路３と保険情報メモリ４とが接続されている。そして、加入済保険会社の加入者データ、契約種別データ、保険掛けデータ、保険保障データを含む保険契約情報が、指令信号入力回路３への指令信号の入力により、インターネット１及びデータ処理ユニット２を介して選択的に取り込まれ、保険情報メモリ４に格納されるように構成されている。この保険契約情報には、この他に支払い日に加入済保険会社に振込まれた保険掛け金データ、契約支払い日に加入者に支払われた保障金データ、及び未加入の保険会社の保険契約情報も含まれる。【００２７】  データ処理ユニット２には、指令信号入力回路３への指令信号の入力により、保険情報メモリ４から選択的に読み出される保険契約情報を表示情報として表示するディスブレイ６が接続され、また、指令信号入力回路３への指令信号の入力により、保険情報メモリ４から選択的に読み出される保険契約情報に対して、演算処理を施し表示情報を演算制御画像情報に変換し、得られる演算制御画像情報をディスプレイ６に表示する画像演算制御回路５が接続されている。また、画像演算制御回路５には、保険契約情報から保険契約に基づいて、加入者が確認・処理が必要な事態が生じたことを警告する警報器８が接続されている。
さらに、データ処理ユニット２には、保険情報メモリ４から読み出された保険契約情報に基づいて、保険の加入契約或いは契約変更を行ない、新たな保険契約情報をデータ処理ユニット２に再入力する契約設定回路７が接続されている。【００２８】  このような構成の本実施の形態の動作を以下に説明する。
図１に示す保険情報メモリ４には、加入済保険会社の加入者データ、契約種別データ、保険掛けデータ、保険保障データが保険契約情報として格納されている。また、必要に応じて、指令信号入力回路３に情報取込指令Ｆ１を入力し、選択指令Ｆ４により取込情報を選択することにより、インターネット１を介して、データ処理ユニット２には支払い日に保険会社に振込まれた保険掛け金データと、契約支払い日に加入者に支払われた保障金データとが取り込まれる。そして、データ処理ユニット２に取り込まれた保険掛け金データと、保障金データとは保険情報メモリ４に書き込まれる。【００２９】  同様にして、指令信号入力回路３に情報取込指令Ｆ１を入力し、選択指令Ｆ４により未加入の保険契約情報を選択することにより、データ処理ユニット２が作動して、インターネット１を介して、未加入の保険会社の保険契約情報が取り込まれ保険情報メモリ４に格納される。この時保険情報メモリ４には、前述したように加入済保険会社の加入者データ、契約種別データ、保険掛けデータ、保険保障データ、支払い日に保険会社に振込まれた保険掛け金データ、及び契約支払い日に加入者に支払われた保障金データが保険契約情報としてすでに格納されている。【００３０】  一元表示を行う場合には、指令信号入力回路３に選択指令Ｆ４を入力して一元表示を選択をした状態で、表示指令Ｆ２を入力することにより、データ処理ユニット２が作動して、保険情報メモリ４から一元表示データが読み取られ、ディスプレイ６には、図２（ａ）に示すような保険契約情報の一元データが表示される。
この一元データに基づいて、指令信号入力回路３に選択指令Ｆ４を入力して、特定の保険会社（ＡＢＣ保険）のデータを選択し、表示指令Ｆ２を入力することにより、図２（ｂ）に示すように保険会社（ＡＢＣ保険）の保険契約情報が選択されてディスプレイ６に表示される。
また、一元データに基づいて、指令信号入力回路３に選択指令Ｆ４を入力して、加入済保険会社の保障額データを選択し、表示指令Ｆ２を入力することにより、同図（ｃ）に示すように、加入保険会社の契約種別に対応する保障額と保険会社の担当連絡先の一覧データが表示される。【００３１】  この場合、図２（ａ）〜（ｃ）の表示には、加入保険会社へのメール送信アイコン、或いはメールアドレスが含まれているので、必要に応じてアイコンをクリックし、或いは指令信号入力回路３選択指令Ｆ４を入力してメール送信を行なうことにより、契約保険会社へのメール送信が簡単な操作で行なわれる。【００３２】  一方、指令信号入力回路３に選択指令Ｆ４を入力して、加入済保険会社の保険掛け金データ及び保障額データを選択し表示指令Ｆ２を入力することにより、図２（ｄ）に示すように加入済保険会社ごとの現在までの保険掛け金の振込み累計額と今後の振込み予定累計額との一覧データが表示される。また、指令信号入力回路３に選択指令Ｆ４を入力して、加入済保険会社ごとの契約保障期間データと保険金の払い込み期間データを選択し、表示指令Ｆ２を入力することにより、図２（ｅ）に示すように、契約保障期間と保証金の一覧データが表示される。この表示では、同２（ｅ）に斜線で示すように、ディスプレイ６の表示において、契約満期日の色を変えて表示することにより、事前に満期終了保険の確認が適確に行なわれる。【００３３】  ところで、本実施の形態では、毎月初めにデータ処理ユニット２によって、契約実行の判定動作が行なわれ、保険情報メモリ４から読み出される保険契約情報に基づいて、全ての加入者ごとにそれぞれ契約された種別の保険に対して、保険掛け金の支払い日の振込み状態と契約支払い日の保障金の支払い状態とが点検される。
そして、保険金の振込み状態と保障金の支払い状態とが、ディスプレイ６に表示されると共に、保険金の未振込や保障金の未支払いなどの契約不履行事態が発生している場合には、警報器８が作動して警報音でオペレータに通報が行なわれる。【００３４】  さらに、本実施の形態では、画像演算制御回路５により、ディスプレイ６に表示される表示画像に対して画像制御演算が施され、表示画像が演算制御画像情報に変換されて表示される。
図２（ａ）（ｂ）の表示に基づいて、指令信号入力回路３に選択指令Ｆ４と演算処理指令Ｆ３を入力することにより、データ処理ユニット２が作動し、画像演算制御回路５の画像演算制御動作が行なわれ、この場合は契約者阿部花子の保障額データに画像制御演算が施され、表示指令Ｆ２を入力することにより、図３（ａ）〜（ｃ）に示すように、グラフ化表示に変換されてディスプレイ６にそれぞれ表示される。【００３５】  図３（ａ）は本実施の形態の画像制御演算により変換表示される死亡保障額のグラフ化表示であり、同図でＡは災害死亡時の保障額、Ｂは病気死亡時の保障額を示している。図３（ｂ）は病気による一日当たりの入院保障額のグラフ化表示で、同図でＣは成人病時の保障額、Ｄは疾病時の保障額を示している。図３（ｃ）は災害による一日当たりの入院保障額のグラフ化表示で、同図でＥは不慮事故時の保障額、Ｆは交通事故時の保障額を示している。【００３６】  このように、本実施の形態では画像演算制御回路５によりグラフ化表示が行なわれるので、契約期間中において、例えば保障期間を延長する場合に、グラフ化された表示画面上で保障期間の延長による保障額の状態を明確に確認することができる。図３（ｄ）、（ｅ）は、指令信号入力回路３に演算処理指令Ｆ３、選択指令Ｆ４及び表示指令Ｆ２を入力することにより、契約者の契約保険会社（ＡＢＣ保険）の規定に基づいて、保険期間の延長に伴う保障額のグラフ化演算を行なった画像表示である。この場合は保険期間の延長に伴う死亡保障の変化を示し、図３（ｄ）は延長前の死亡保障額のグラフ化表示で、図３（ｅ）は保険期間延長後の死亡保障額のグラフ化表示である。この表示データから、災害死亡時Ａと病気死亡時Ｂのそれぞれについて、期間延長後の保障額を明確に把握することができる。【００３７】  さらに、本実施の形態によると、指令信号入力回路３に演算処理指令Ｆ３と選択指令Ｆ４を入力することにより、画像演算制御回路５によって、生活環境及び家族環境に対応する収入・支出データに基づくシュミレーション演算処理が行なわれ、表示指令の入力によって画像表示が行われる。この演算処理により得られるグラフ化画像に基づいて、今後の生活に必要な資金を的確に把握し、子供の進学に対応する学資保険に何時加入するか、また、ある程度の余裕度をもって老後を生活するには、年金保険に何時加入するかを適確に決定し、健全な生活設計の立案が行なわれる。
図４において、斜線部は税・社会保険料Ｔを示し、白地部は生活費ＤＭを示し、一点鎖線の斜線部は住宅費Ｈを示している。また、斑点部は教育費Ｓを示し、黒地部は年金保険Ｐを示している。そして、太線は収入Ｉを示し、点線は余裕比率ＢＵを示している。
図４に示すグラフ化表示データでは、家族環境に対応する支出データを子供の教育費Ｓとマイホーム購入の住宅資金Ｈとし、生活環境に対応する収入を老齢年金Ｐとして、税・社会保険料Ｔと生活費ＤＭとに対して、それぞれグラフ化表示することにより、生活モデルをグラフ化表示し、収入Ｉに対する余裕比率ＢＵを演算表示している。【００３８】  図４に示す生活モデルでは、４１才でマイホームを住宅ローンで購入し、４２才で子供が公立小学校に入学し、４７才で子供が公立中学に入学し、５１才で子供が公立高校に入学し、５４才で子供が私立大学に入学している。そして、６０才で退職金によって住宅ローンの支払いを済ませている。
このようにして、生活モデルをグラフ化表示させることにより、何時どのような資金が必要か、どの部分を切り詰めることができるか、どの時期から年金保険を開始しなければならないかを確認し、安定した生活設計をすることができる。【００３９】  そして、例えば、年金保険の開始時期を決定し加入する場合や保険契約内容の変更を行なう場合には、指令信号入力回路３に契約設定指令Ｆ５を入力し、契約設定内容を指定すると、データ処理ユニット２が作動し、契約設定回路７によって、指定された契約設定情報がデータ処理ユニット２を介して保険情報メモリ４に格納されると共に、インターネット１を介して対応する保険会社に送信される。【００４０】  このようにして、本実施の形態によると、全家族や全従業員など全保険契約者の全ての保険契約情報をディスプレイ６に一覧表示して内容を確認し、必要な場合には画像上のアイコンで保険会社の担当者と電子メール連絡をとり、加入保険を一元的に適確に管理することが可能になる。また、毎月始めに保険金の未振込や保障金の未支払いなどの契約不履行事態が発生している場合には、警報器８が作動して警報音でオペレータに通報され、加入保険を安全に運用することが可能になる。
さらに、生活環境及び家族環境に対応する収入データと支出データに基づくシュミレーション演算処理が、画像演算制御回路５によって行なわれ、得られるグラフ化画像に基づいて、今後の生活に必要な資金を的確に把握し、子供の進学に対応する学資保険に何時加入するか、また、ある程度の余裕度をもって老後を生活するには、年金保険に何時加入するかを適確に決定し、健全な生活設計を立てることが可能になる。
【図面の簡単な説明】
【００４１】
【図１】  本発明の一実施の形態の構成を示すブロック図である。
【図２】  同実施の形態の表示画像例を示す説明図である。
【図３】  同実施の形態の演算制御画像例を示す説明図である。
【図４】  本実施の形態が提供する演算制御画像情報例を示す説明図である。
【符号の説明】
【００４２】１  インターネット
２  データ処理ユニット
３  指令信号入力回路
４  保険情報メモリ
５  画像演算制御回路
６  ディスプレイ
７  契約設定回路
８  警報器
【図１】
2008059537.tif 000003
【図２】
2008059537.tif 000004
【図３】
2008059537.tif 000005
【図４】
2008059537.tif 000006